(57)【要約】      （修正有）【課題】従来の刺股の先端部分に、Ｕ字状取り抑え部の延長方向と同様に暴漢者の体に接近する程度の先端部を設け、暴漢者に対して威嚇効果を発揮することにより暴漢者の抵抗反撃を殺ぐことが可能な刺股を提供する。【解決手段】断面円形ポール状の長い握り部１１とＵ字状の取り抑え部１２とより構成された刺股において、取り抑え部１２近傍の握り部１１に対し、暴漢者等を威嚇するための突起部１３が設けられ、突起部１３は、ポール状の握り部１１の外径に一致する内径を形成した受け部１４と、受け部１４から３０度程度上向きに傾斜して一体に設けた威嚇先端部とから構成され、更に各受け部１４の握り部１１との接する面にフェルト材のような緩衝剤を設けた刺股。【選択図】図１
0003112216.tif 000002
【実用新案登録請求の範囲】
【請求項１】
刺股の先端部分に取り抑え部の延長方向と同方向に暴漢等の体に接近する程度に設定した突起部を着脱自在に設けたことを特徴とする刺股。
【考案の詳細な説明】
【技術分野】
【０００１】
本考案は、暴漢等を取り抑えるための武器である刺股の改良に関する。
【背景技術】
【０００２】
従来の刺股は、後掲特許文献に示すように、先端のＵ字状の取り抑え部で喉頸や胴、四肢等を押さえつけて暴漢等を取り抑えるようになっているが、暴漢がＵ字状の取り抑え部を両手で掴んでしまい、逆に反撃の機会を与えてしまう点で欠点がある。
【０００３】
また従来の刺股では軽合金製のポール状の材料で形成されており、構造を簡便化するため取り抑え部を設けたものが多いので、爾後に使用者が改良を加えることができない欠点がある。
【０００４】
【特許文献１】実開昭６３−１７６７９０号公報
【特許文献２】実用新案登録第３１０２８９０号公報
【特許文献３】実用新案登録第３０８５８２４号公報
【特許文献４】実用新案登録第３０３０２８２号公報
【考案の開示】
【考案が解決しようとする課題】
【０００５】
本考案は、従来の刺股の先端部分に、Ｕ字状取り抑え部の延長方向と同様に暴漢者の体に接近する程度の先端部が暴漢者に対して威嚇効果を発揮することにより暴漢者の抵抗反撃を殺ぐことが可能な刺股を提案することを主たる目的とする。
【課題を解決するための手段】
【０００６】
本考案は、刺股の先端部分に、取り抑え部の延長方向と同方向に暴漢等の体に接近する程度の突起部を着脱自在に設けたことを主要な特徴とする。
【考案の効果】
【０００７】
本考案によれば、刺股の先端部分にＵ字状の取り抑え部の延長方向と同様に暴漢者の体に接近する程度の先端部を設けたので、仮に暴漢者が取り抑え部を両手で握って反撃する場合であっても、先端部が暴漢等の体に押圧しうる作用をするため抵抗反撃を殺ぐ効果を有する。また先端部が暴漢等側に延長形成されているため、暴漢等に対して威嚇効果を発揮する等の利点がある。
【考案を実施するための最良の形態】
【０００８】
断面円形ポール状の長い握り部とＵ字状の取り抑え部とより構成された刺股において、取り抑え部近傍の握り部に対し、暴漢者等を威嚇するための突起部が設けられ、突起部は、ポール状の握り部の外径に一致する内径を形成した受け部と、受け部から３０度程度上向きに傾斜して一体に設けた威嚇先端部とから構成され、受け部はポール状の握り部に対して取り付け取り外しが可能なように二分割され、上下の受け部材をボルトナット等で締め付けて合体させることにより、ポール状の握り部と強固に一体化されるように構成される。更に各受け部の握り部との接する面にはフェルト材のような緩衝剤を設ける。
【実施例１】
【０００９】
図１は、本考案装置の第１実施例の斜視図である。１０は刺股全体を示し、断面円形ポール状の長い握り部１１とＵ字状の取り抑え部１２は従来通りの構成であるが、取り抑え部１２近傍の握り部１１に対し、暴漢者等を威嚇するための突起部１３が設けられている。突起部１３は、図８に示すように、ポール状の握り部１１の外径に一致する内径を形成した受け部１４と、受け部１４から３０度程度上向きに傾斜して一体に設けた威嚇先端部１３ａとから構成される。受け部１４はポール状の握り部１１に対して取り付け取り外しが可能なように二分割され、上下の受け部材１４ａ，１４ｂをボルトナット１６等で締め付けて合体させることにより、ポール状の握り部１１と強固に一体化されるように構成される。威嚇先端部１３ａは握り部１１のポール材料と同様のものを採用できる。各受け部１４ａ，１４ｂの握り部１１との接する面にはフェルト材のような緩衝剤１８を設けることも可能である。
【００１０】
突起部１３は、図１に示すように、取り抑え部１２の長さより短く、暴漢等の体に接する程度の長さとすることができる。但し直接押圧しない程度の長さとし、暴漢等に対し心理的に動揺するような作用を持たせることに意味がある。そして突起部１３の先端には、緩衝用ゴム材１９が設けられる。
【００１１】
図２は、本考案装置の第２実施例の側面図である。この例は受け部１４から傾斜して植設した材料を握り部１１の延長方向と並行になるように曲げて、威嚇する突起部１３が水平状になるようにした変形例である。この構成を採用することにより、暴漢等に対し、強い攻撃がされたような恐怖感を与えることができる。
【００１２】
図３は、本考案装置の第３実施例の側面図である。この例は受け部１４から植設した威嚇する突起部１３を円弧状に形成し、握り部１１の延長方向と並行になるように曲げた変形例である。この構成を採用することにより、暴漢等に対し、強い攻撃がされたような恐怖感を与えることができる。
【００１３】
図４は、本考案装置の第４実施例の側面図である。この例は受け部１４から植設した突起部１３を握り部１１に対し垂直に立ち上げてから水平になるようにほぼ直角に曲げた変形例である。この構成を採用することにより、暴漢等に対し、強い攻撃がされたような恐怖感を与えることができる。
【００１４】
図５は、本考案装置の第５実施例の側面図である。この例は上下の受け部１４の夫々に植設した突起部１３を約３０度傾斜して一体に設けた変形例であり、握り部１１の上下から暴漢側に突出している形態である。この構成を採用することにより、暴漢等に対し、強い攻撃がされたような恐怖感を与えることができる。
【００１５】
図６，７は、本考案装置の第６、７実施例の側面図である。いずれも第３、第４例の態様に受け部１４から植設した突起部１３を上下２方向より突出形成した変形例である。この構成を採用することにより、暴漢等に対し、強い攻撃がされたような恐怖感を与えることができる。
【図面の簡単な説明】
【００１６】
【図１】本考案の一例を示す斜視図である。（実施例１）
【図２】本考案の他の例を示す説明図である。（実施例２）
【図３】本考案の第３例を示す説明図である。
【図４】本考案の第４例を示す説明図である。
【図５】本考案の第５例を示す説明図である。
【図６】本考案の第６例を示す説明図である。
【図７】本考案の第７例を示す説明図である。
【図８】受け部の詳細な構成を示す斜視図である。
【符号の説明】
【００１７】
１０  刺股全体
１１  握り部
１３  突起部
１４  受け部
【図１】
0003112216.tif 000003
【図２】
0003112216.tif 000004
【図３】
0003112216.tif 000005
【図４】
0003112216.tif 000006
【図５】
0003112216.tif 000007
【図６】
0003112216.tif 000008
【図７】
0003112216.tif 000009
【図８】
0003112216.tif 000010